(57)【要約】      （修正有）【課題】本考案は、自分の愛する物の写真を身近に持ちたい、そのために風化、劣化、雨水から守りつつ、アクセサリーとして保持したいのを解決する為に発案したアクセサリーである。【解決手段】本考案は、２金属メタルパーツ（ＬＯＶＥブラパーツ）に１（写真）を貼付け、３（透明エポ樹脂）を流し込むことにより長期に渡り、自分の愛する写真（好きな物）を風化、劣化、雨水から守ることができ、アクセサリーとして使用できる。尚且つ、図面１ーＢ（裏面）については愛犬の首輪用迷子札として、連絡先を記入することができ飼い主としては安心できる自分だけのアクセサリーである。【選択図】図１−Ａ
0003115214.tif 000002
【実用新案登録請求の範囲】
【請求項１】
金属状のメタルパーツ（片面または両面）にオリジナル写真を（ペット、人間、景色、車、他）（著作権のあるもの、法律で複製を禁じているものは一切含みません。）貼付け、透明エポ樹脂を流し込み長期的に劣化なく保存できるアクセサリー型パーツ。
両面型は犬用の迷子札として使用。
【考案の詳細な説明】
【技術の分野】
【０００１】本考案は、金属状メタルパーツに窪み（片面また両面）にオリジナル写真を貼り透明エポ樹脂を流して写真を長期的に保存できる世界で１つの自分だけのアクセサリーである。
【技術の背景】
【０００２】今まで、愛犬等の散歩の祭に首飾りとして迷子札をつけることはできたが、愛犬の写真を同時にアクセサリー型首輪としてつけることができず、屋外で使用したいため劣化、風化、雨水にも強くデザインにたけた物が欲しかった。同時に愛犬等と同じ物を携帯ストラップやキーホルダーやアクセサリーとして使用したかった。
【考案の開示】
【考案が解決しようとする課題】
【０００３】常に自分の大切な物の写真を保持していたいが、写真は劣化、風化、雨水に弱く、長期保存が難しかった。金属メタルパーツ（ＬＯＶＥブラパーツ）加工することにより前述の欠点を解決している。
【課題が解決するための手段】
【０００４】本考案は、金属パーツ（片面、両面）に窪みをつけて、オリジナル写真を入れて透明エポ樹脂を流し込むそのことにより従来の写真保存（劣化、風化、水に弱い点）を透明エポ樹脂を流すことにより、空気、水にふれず長期保存できるので、以前の問題点を解決している。
【考案の効果】
【０００５】上述のように、本考案のＬＯＶＥブラパーツは愛する物の写真を金属パーツ状のアクセサリーとして常に劣化なく、身近に携帯できる点が特徴であり、同時に両面として愛犬の迷子札として使用すれば飼いとして安心である。
更に好きな写真を加工すれば、携帯ストラップやキーホルダーなどとして使用できる。
【考案の実施する為の最良の形態】
【０００６】形状は丸型を基本として（今後はあらゆる形状が可能）片面、両面の金属パーツに０．１ミリ〜０．５ミリの窪みをつけ、その上にオリジナル写真を貼り透明エポ樹脂を流し込む。今後軽量化の為真鍮性に移行予定
【実施例】
【０００７】以下、添付図面に従って一実施例を説明する。２は金属パーツ（素材／スズ合金）に窪みをつけたパーツ本体、１はオリジナル（写真）３は透明エポ樹脂（素材／エポキシ樹脂）である。
２の金属パーツに１写真を貼り３の透明エポ樹脂を流し込むことにより今後、風化、劣化、水滴から守り長期保存できる。
【図面の簡単な説明】
【０００８】
【図１】本考案のＬＯＶＥブラパーツの実施例を示す両面断面図である
【図１−Ａ】本考案のＬＯＶＥブラパーツの表面実施例を示す正面図である
【図１−Ｂ】本考案のＬＯＶＥブラパーツの裏面（迷子札）実施例を示す正面図である
【図２】本考案のＬＯＶＥブラパーツの実施案を示す片面断面図である
【図２−Ａ】本考案のＬＯＶＥブラパーツの片面実施例を示す正面図である
【符号の説明】
【０００９】１，写真
２，金属パーツ（ＬＯＶブラパーツ）
３，透明エポ樹脂
【図１】
0003115214.tif 000003
【図１−Ａ】
0003115214.tif 000004
【図１−Ｂ】
0003115214.tif 000005
【図２】
0003115214.tif 000006
【図２−Ａ】
0003115214.tif 000007
【手続補正書】
【提出日】平成17年7月7日(2005.7.7)
【手続補正１】
【補正対象書類名】実用新案登録請求の範囲
【補正対象項目名】請求項１
【補正方法】変更
【補正の内容】
【請求項１】
金属状のメタルパーツ、両面型にオリジナル写真と迷子札を貼付け、透明エポ樹脂を流し込み長期的に劣化なく保存できるアクセサリー型パーツ。
【手続補正２】
【補正対象書類名】明細書
【補正対象項目名】全文
【補正方法】変更
【補正の内容】
【考案の詳細な説明】
【技術の分野】
【０００１】本考案は、ＬＯＶＥブラパーツに窪みをつけ、両面型にオリジナル写真と迷子札貼り透明エポ樹脂を流して写真を長期的に保存できる世界で１つの自分だけのアクセサリーである。
【技術の背景】
【０００２】今まで、愛犬等の散歩の祭に首飾りとして迷子札をつけることはできたが、愛犬の写真を同時にアクセサリー型首輪としてつけることができず、屋外で使用したいため劣化、風化、雨水にも強くデザインにたけた物が欲しかった。同時に愛犬等と同じ物を携帯ストラップやキーホルダーやアクセサリーとして使用したかった。
【考案の開示】
【考案が解決しようとする課題】
【０００３】常に自分の大切な物の写真を保持していたいが、写真は劣化、風化、雨水に弱く、長期保存が難しかった。
ＬＯＶＥブラパーツ加工することにより前述の欠点を解決している。
【課題が解決するための手段】
【０００４】本考案は、ＬＯＶＥブラパーツ、両面型に窪みをつけて、オリジナル写真を入れて透明エポ樹脂を流し込むことにより従来の写真保存の方法、劣化、風化、水に弱い点を補え長期保存できるので、以前の問題点を解決している。
【考案の効果】
【０００５】上述のように、本考案のＬＯＶＥブラパーツは愛する物の写真にＬＯＶＥパーツを組み合わせて透明エポ樹脂を流し込むことにより常に劣化なく、身近に携帯できる点が特徴であり、裏面に愛犬の迷子札として使用すれば飼いとして安心である。更に好きな写真を加工すれば、携帯ストラップやキーホルダーなどとして使用できる。
【考案の実施する為の最良の形態】
【０００６】形状は丸型を基本として、今後はあらゆる形状が可能、両面のＬＯＶＥブラパーツに０．１ミリ〜０．５ミリの窪みをつけ、その上にオリジナル写真を貼り透明エポ樹脂を流し込む。
【実施例】
【０００７】以下、添付図面に従って一実施例を説明する。２はＬＯＶＥブラパーツ（素材／スズ合金）に窪みをつけたパーツ本体、１はオリジナル（写真）３は透明エポ樹脂（素材／エポキシ樹脂）である。
２のＬＯＶＥブラパーツに１写真を貼り３の透明エポ樹脂を流し込むことにより今後、風化、劣化、水滴から守り長期保存できる。
【図面の簡単な説明】
【０００８】
【図１】本考案のＬＯＶＥブラパーツの実施例を示す両面断面図である
【図１−Ａ】本考案のＬＯＶＥブラパーツの表面実施例を示す正面図である
【図１−Ｂ】本考案のＬＯＶＥブラパーツの裏面（迷子札）実施例を示す正面図である
【符号の説明】
【０００９】１，写真
２，ＬＯＶＥブラパーツ
３，透明エポ樹脂
【手続補正３】
【補正対象書類名】図面
【補正対象項目名】全図
【補正方法】変更
【補正の内容】
【図１】
0003115214.tif 000008
【図１−Ａ】
0003115214.tif 000009
【図１−Ｂ】
0003115214.tif 000010